(57)【要約】      （修正有）【課題】容量可変であって、使い勝手が良く、さらに体裁も良い手提げ袋を提供する。【解決手段】上端を開口する袋状の本体部２と、該本体部の上端部に上方に向かって延設され、かつ、本体部内に折り返して収容可能な筒状の延長部３とを有し、本体部及び延長部は、共に、上端開口の周縁に設けられる筒状の緊締部材挿通部６、１６と、該緊締部材挿通部内に挿通される紐状又は帯状の緊締部材７、１７とを備え、かつ、緊締部材挿通部に設けられた引出口８、１８から外部に露出される緊締部材を取手部４、１４として備え、緊締部材は、線状であって両端部が緊締部材挿通部に固着されている、あるいは、無端環状である。【選択図】図１
0003229073.tif 000002
【実用新案登録請求の範囲】
【請求項１】
上端を開口する袋状の本体部と，
該本体部の上端部に上方に向かって延設され，かつ，前記本体部内に折り返して収容可能な筒状の延長部とを有し，
前記本体部及び前記延長部は，共に，上端開口の周縁に設けられる筒状の緊締部材挿通部と，該緊締部材挿通部内に挿通される紐状又は帯状の緊締部材とを備え，かつ，前記緊締部材挿通部に設けられた引出口から外部に露出される前記緊締部材を取手部として備え，
前記緊締部材は，線状であって両端部が前記緊締部材挿通部に固着されている，あるいは，無端環状である手提げ鞄。
【請求項２】
前記本体部及び前記延長部は，共に，前記緊締部材挿通部の長手方向の中央における対向する二箇所に一対の前記引出口が設けられ，前記一対の引出口から外部に露出される前記緊締部材を一対の前記取手部とすることを特徴とする請求項１記載の手提げ鞄。
【請求項３】
前記緊締部材が無端環状であって，前記緊締部材挿通部の左右両側縁において前記緊締部材が前記緊締部材挿通部に固着されていることを特徴とする請求項２記載の手提げ鞄。
【請求項４】
前記本体部又は前記延長部は，上端開口を閉塞する巾着紐が付設されていることを特徴とする請求項１〜３いずれか１項記載の手提げ鞄。
【請求項５】
前記本体部又は前記延長部の左右両側縁部にＤ環が設けられ，該Ｄ環に着脱可能の紐を備えることを特徴とする請求項１〜４いずれか１項記載の手提げ鞄。
【請求項６】
前記本体部の左右両側の下端部にＤ環が設けられ，該Ｄ環に着脱可能の紐を備えることを特徴とする請求項１〜５いずれか１項記載の手提げ鞄。
【考案の詳細な説明】
【技術分野】
【０００１】
本考案は，収納容量を大小に容易に変えることができる手提げ鞄に関するものである。なお，本考案において，「鞄」は，手提げ袋の一般に「袋」と呼ばれているものも含まれる。
【背景技術】
【０００２】
昨今，レジ袋の有料化に伴い，エコバッグに代表される手提げ鞄を持参する人が増えている。
【０００３】
しかし，例えば，コンビニやスーパー等小売店により，購入する商品の量や大きさが異なるため，サイズの異なる複数の手提げ鞄を保有しておき，行く店ごとに持参する手提げ鞄を変える煩わしさがあった。
【０００４】
これに対し，袋本体の上端部分を折返部として，該折返部を袋内部に折り返すことで小袋として使用でき，また，前記折返部を引き出して大袋としても使用できる，容量可変の手提げ鞄９０が知られている（特許文献１）。
【０００５】
特許文献１に開示の前記手提げ鞄９０は，図８に示すように，柔軟にして薄地のナイロン生地から上方を開口する袋状に縫製された本体９１を備え，本体９１の上方開口部に一対の提げ手９２，９２が取り付けられ，また，前記本体９１が高さ方向中央位置において適宜巾だけ内方へ折り込まれ縫着されることで折返し縁９３が周設され（該折返し縁９３により前記本体９１の上方部分９１ａを内部に折込む位置が規制される。），さらに，前記折返し縁９３の内面に前記提げ手９２，９２を各別に挿通するための挿通部９４，９４が各別に設けられている。
【０００６】
そして，前記手提げ鞄９０は，図９に示すように，前記上方部分９１ａを前記本体９１内部に折り込んだ後，前記提げ手９２，９２をそれぞれ対応する前記挿通部９４，９４に下側の挿通口から挿通して上方に引き出すことにより，提げ手を備えた小袋とすることができるものである。
【先行技術文献】
【特許文献】
【０００７】
【特許文献１】実公昭５１−４６２０３号公報
【考案の概要】
【考案が解決しようとする課題】
【０００８】
しかし，前記手提げ鞄９０は，前記小袋にする際，上述したように前記提げ手９２を前記挿通部９４に入れる煩わしさがあった。
【０００９】
また，前記挿通部９４から提げ手９２が引き出されている小袋の体裁に若干の難があった。
【００１０】
上述の問題点に鑑み，本考案は，容量可変であって，使い勝手が良く，さらに体裁も良い手提げ袋を提供することを目的する。
【課題を解決するための手段】
【００１１】
以下に，課題を解決するための手段を，考案を実施するための形態で使用する符号と共に記載する。この符号は，実用新案登録請求の範囲の記載と考案を実施するための形態の記載との対応を明らかにするために記載したものであり，言うまでもなく，本考案の技術的範囲の解釈に制限的に用いられるものではない。
【００１２】
本考案の手提げ鞄１は，上端を開口する袋状の本体部２と，
該本体部２の上端部に上方に向かって延設され，かつ，前記本体部２内に折り返して収容可能な筒状の延長部３とを有し，
前記本体部２及び前記延長部３は，共に，上端開口の周縁に設けられる筒状の緊締部材挿通部６，１６と，該緊締部材挿通部６，１６内に挿通される紐状又は帯状の緊締部材７，１７とを備え，かつ，前記緊締部材挿通部６，１６に設けられた引出口８，１８から外部に露出される前記緊締部材７，１７を取手部４，１４として備え，
（前記緊締部材７，１７が前記引出口８，１８から抜け出ないように，）前記緊締部材７，１７は，線状であって両端部が前記緊締部材挿通部６，１６に固着されている，又は，無端環状である（請求項１，図１，図２，図３を参照。）。
【００１３】
前記本体部２及び前記延長部３は，共に，前記緊締部材挿通部６，１６の長手方向の中央における対向する二箇所に一対の前記引出口８，８’，１８，１８’が設けられ，前記一対の引出口８，８’，１８，１８’から外部に露出される前記緊締部材７，１７を一対の前記取手部４，４’，１４，１４’とするものであってもよく（請求項２，図１，図２，図３を参照。），さらに，前記緊締部材７，１７が無端環状であって，前記緊締部材挿通部６，１６の左右両側縁において前記緊締部材７，１７が前記緊締部材挿通部６，１６に固着されているものであっても良い（請求項３）。
【００１４】
また，前記本体部２又は前記延長部３は，上端開口を閉塞する巾着紐２１が付設されても良い（請求項４，図４を参照）。
【００１５】
また，本考案の手提げ鞄１は，前記本体部２又は前記延長部３の左右両側縁部にＤ環３１，３１が設けられ，該Ｄ環３１，３１に着脱可能の紐（ショルダーベルト）３２を備えるものであっても良い（請求項５，図５を参照）。
【００１６】
また，本考案の手提げ鞄１は，前記本体部２の左右両側の下端部にＤ環３３，３３が設けられ，前記Ｄ環３３，３３に着脱可能の紐（背負いベルト）３２を備えるものであっても良い（請求項６，図６を参照）。
【考案の効果】
【００１７】
以上で説明した本考案の手提げ鞄１は，前記延長部３を前記本体部２内への折り返しと，引き出しによる簡単な操作で，鞄の容量を変えることができるものである。
【００１８】
また，本考案の手提げ鞄１は，前記本体部２及び前記延長部３それぞれに取手部４，１４が備えられていて，使い勝手が良い。
【００１９】
さらに，前記本体部２及び前記延長部３に備えられた前記取手部４，１４の構造が，前記緊締部材挿通部６，１６に設けられた引出口８，１８から外部に露出される前記緊締部材７，１７を取手部４，１４とする点で同じであることから，体裁が良くデザイン性にも優れる。
【図面の簡単な説明】
【００２０】
【図１】本考案の手提げ鞄１の一実施形態を示す図。
【図２】図１の手提げ鞄１の延長部３を本体部２内に収納した状態を示す図。
【図３】図１の手提げ鞄１の取手部１４を引き出した状態を示す図。
【図４】本考案の手提げ鞄１の別の実施形態を示す図。
【図５】（ａ）は，本考案の手提げ鞄１のさらに別の実施形態を示す図。（ｂ）は，（ａ）の手提げ鞄１に使用される紐（ショルダーベルト）３２を示す図。
【図６】本考案の手提げ鞄１のさらに別の実施形態を示す図。
【図７】図６の手提げ鞄１の紐（背負いベルト）３２を取手部１４に結びつける方法を説明する図。
【図８】従来の手提げ鞄９０の全体図。
【図９】図６の手提げ鞄９０の前記上方部分９１ａを前記本体９１内に収納した状態を示す図。
【考案を実施するための形態】
【００２１】
次に，本考案の一実施形態につき，添付図面を参照しながら説明する。
【００２２】
図１は，本実施形態の手提げ鞄１の全体を示す図であり，手提げ鞄１は，柔軟な布地から上端を開口する袋状に縫製した本体部２を有し，さらに，該本体部２と同じ生地から筒状に縫製した延長部３を前記本体部２の上端部から上方に延設した構造であって，前記延長部３が前記本体部２の内部への折り返しと，前記本体部２の上方への引き出しが可能となっている。
【００２３】
図１は，本実施形態の手提げ鞄１の前記延長部３を前記本体部２の上方へ引き出し大袋にした状態を示し，図２は，前記延長部３を前記本体部２内に折り返して収納し小袋にした状態を示している。
【００２４】
なお，前記延長部３の形成方法は，前記本体部２とは別個に縫製した筒状体を用意して，該筒状体の下端周縁を前記本体部２の上端開口部近傍の周縁に沿って縫着して連結するものであっても良く，または，高さのある前記本体部２を用意し，該本体部２の高さ方向中央位置に折り返し縁を周設して，該折り返し縁より上方部分を前記延長部３として本体部２内へ折り返し可能とするものであっても良く，特に限定されるものではない。
【００２５】
また，本実施形態の手提げ鞄１は，図１に示すように，前記本体部２と前記延長部３のそれぞれに同じ構造の取手部４，１４を備えている。
【００２６】
前記本体部２には，図１に示すように，本体部２の上端開口の周縁に沿って筒状の緊締部材挿通部６を設け，前記緊締部材挿通部６内に無端環状であって細長い帯状の緊締部材７を挿通し，該緊締部材７を一対の持ち手として使用できるように，前記緊締部材挿通部６の長手方向中央部の対向する二箇所に引出口８，８’を設け，該引出口８，８’にて前記緊締部材７を外部に露出して一対の取手部４，４’を形成した構造となっている。なお，図１〜５において，背面に位置する取手部４’（引出口８’を含む。）の図示は割愛する。
【００２７】
また，前記延長部３に設ける前記取手部１４，１４’は，前記取手部４，４’と同じ構造であって，図１に示すように，延長部３の上端開口の周縁に沿って筒状の緊締部材挿通部１６を設け，前記緊締部材挿通部１６内に挿通した無端環状であって細長い帯状の緊締部材１７を一対の持ち手として使用できるように，前記緊締部材挿通部１６の長手方向中央部の対向する２カ所に引出口１８，１８’を設け，該引出口１８，１８’にて前記緊締部材１７を外部に露出して一対の取手部１４，１４’を形成した構造となっている。なお，図１〜５において，背面に位置する取手部１４’（引出口１８’を含む。）の図示は割愛する。
【００２８】
なお，前記緊締部材挿通部６，１６は，本体部２や延長部３の上端開口の周縁に，前記本体部２や延長部３と同じ布地あるいは異なる布地で別途形成した筒状の折返片を縫着して設けたものであったり，この他，前記本体部２や延長部３の上端開口部の周縁を内方に折り返してその下端を縫着して筒状に形成したものであっても良い。
【００２９】
また，前記引出口８（１８）を設ける方法は特に限定されず，本実施形態では，図１に示すように，前記緊締部材挿通部６（１６）を第一の挿通部６ａ（１６ａ）と第二の挿通部６ｂ（１６ｂ）の２つに分割して間をあけて設け，第一の挿通部６ａ（１６ａ）と第二の挿通部６ｂ（１６ｂ）の間の空隙を前記引出口８（１８）としたが，この他，例えば，上端開口の全周縁に設けた前記緊締部材挿通部６（１６）の適宜箇所に切欠きを形成して前記引出口８，１８を設けても良い。
【００３０】
また，前記引出口８，１８は，少なくとも一箇所設けていれば良く，また，三箇所以上設けても良く，形成される位置も特に限定されるものではないが，例えば，本実施形態のように，本体部２の取手部４，４’と延長部の取手部１４，１４’の配置が揃うように，前記引出口８，８’，１８，１８’が設けられていると体裁が良く好ましい。
【００３１】
また，前記緊締部材７，１７は，帯状のものに限定されず，紐状のものも含まれる。
【００３２】
また，本実施形態では，前記緊締部材７，１７が前記引出口８，８’，１８，１８’から抜け出ないように，上述した通り，無端環状の前記緊締部材７，１７を使用しているが，前記緊締部材７，１７は線状であっても良く，この場合，線状の前記緊締部材７，１７の両端部を前記緊締部材挿通部６，１６に固着する。
【００３３】
このように前記緊締部材７，１７が前記引出口８，１８から抜け出ない上，さらに，手提げ鞄１は，前記取手部４，１４（前記緊締部材７，１７）を前記引出口８，１８から引き出すことが可能である。
【００３４】
例として，図３は，手提げ鞄１の取手部１４を引き出した状態を示す図である。  図３に示すように，手提げ鞄１は，取手部１４（緊締部材１７）を上方へ引き出すことで，前記緊締部材挿通部１６が中央へ引き寄せられて（絞られて），延長部３の上端開口を小さく（緊締）することができる上，取手部１４の持ち手部分が大きくなり，手が入りやすくなる。
【００３５】
なお，本考案では，前記取手部４，１４（緊締部材７，１７）の引き出せる長さや緊締部材７，１７による緊締（絞り）が僅かであっても構わない。
【００３６】
なお，本実施形態では，環状の前記緊締部材７，１７を，図１中の左右両側縁において，前記緊締部材挿通部６，１６に縫着しており，該構成により，取手部（緊締部材７，１７）を引出すと同時に前記緊締部材挿通部６，１６が中央へ引き寄せられ，取手部４，１４を引き出しやすく，さらに開口部を絞りやすくするようになっている。
【００３７】
なお，本実施形態の手提げ鞄１において，手提げ鞄１を構成する本体部２，延長部３，緊締部材挿通部６，１６及び緊締部材７，１７は，同一の布地を用いて縫製されている。しかし，本考案の手提げ鞄１に使用される材質は，天然繊維又は合成繊維から成る織物や不織布等の布地以外にも，皮革（合成皮革を含む），紙，合成樹脂フィルム，その他適用可能であれば特に限定されるものでなく，さらに，材質に応じて縫製，縫着，接着剤による接着，ヒートシール等により形成，固着等することができる。また，手提げ鞄１の構成部ごとに材質を変えても良い。
【００３８】
次に，図４は，本考案の手提げ鞄１の第二実施形態の全体を示す図である。
【００３９】
本実施形態の手提げ鞄１は，第一実施形態の手提げ鞄１に巾着紐２１を付設したものであって，具体的には図４に示すように，前記延長部３の上端開口部よりやや下方位置において，裏面の周方向に沿って巾着紐挿通部２２を設け，該巾着紐挿通部２２内に巾着紐２１を挿通し，前記延長部３の右側縁部にて該巾着紐２１を外部に露出させ，前記巾着紐２１を引き締めて延長部３の上端開口を巾着式に閉じる（閉塞する）ことができるようにしたものである。
【００４０】
なお，前記巾着紐２１で引き絞った状態を維持し易いように，絞止具（図示せず。）を前記巾着紐２１に取り付けても良い。また，本体部２にも，同様の巾着紐２１を設けても良い。
【００４１】
また，巾着紐２１の付設の方法は，上述した本実施形態に限定されるものではなく，既存の方法を採用することができる。
【００４２】
次に，図５は，本考案の手提げ鞄１の第三実施形態の全体を示す図である。
【００４３】
本実施形態の手提げ鞄１は，図５（ａ）に示すように，第一実施形態の手提げ鞄１の本体部２の開口部近傍の左右両側部にＤ環３１，３１を取りつけたもので，該Ｄ環３１，３１に，両端部にフック３２ｂ，３２ｂが備えられた紐３２（図５（ｂ）を参照。）を肩掛け用のショルダーベルトとして着脱可能に取りつけられるようにし，肩掛け鞄としても使用できるようにしたものである。なお，前記紐３２は，図５（ｂ）に示すように，長尺ベルト帯の一端を折り返して，折り返された一端が長さ調節用のアジャスタ３２ａに連結されており，これにより，ベルト本体部の全長を調節することができるものである。
【００４４】
なお，図５の例では，Ｄ環３１，３１を本体部２に取り付けているが，同様に，前記延長部３にもＤ環３１，３１を取りつけて，使用者が前記紐（ショルダーベルト）３２を付ける位置を選択できるようにしても良い。また，前記延長部３にのみ前記Ｄ環３１，３１が設けられていても良い。
【００４５】
さらに，図６は，本考案の手提げ鞄１の第四実施形態の全体を示す図である。
【００４６】
本実施形態の手提げ鞄１は，図６に示すように，第一実施形態の手提げ鞄１の本体部２の左右両側の下端部にＤ環３３，３３を取りつけたもので，前記紐３２を背負いベルトとして，二つ折りにした前記紐３２を一対の前記取手部１４，１４’に結び付けた後，該紐３２の両端部のフックを前記Ｄ環３３，３３に着脱可能に取りつけられるにし，背負い鞄としても使用できるようにしたものである。
【００４７】
なお，図７は，前記紐（背負いベルト）３２を一対の前記取手部１４，１４’（緊締部材１７）に結び付ける方法を説明する図である。まず，図７（ａ）に示すように，二つ折りにした紐３２の二つ折り部３２ｃを取手部１４，１４’に挿通した後，前記二つ折部３２ｃを折り返し（図中の矢印線を参照。），図７（ｂ）に示すように，前記二つ折り部３２ｃを折り返して形成された輪の中を通るように前記紐３２の両端部を引き出す（図中の矢印線を参照。），そして，図７（ｃ）に示すように引き出した両端部をそのまま引き締めることで，前記紐３２を前記取手部１４に結び付けることができる。なお，図６及び図７において，背面に位置する取手部１４’の図示は割愛する。
【００４８】
また，前記紐（背負いベルト）３２を前記延長部３の取手部１４に結びつけているが，前記本体部２の取手部４に結びつけても良い。
【符号の説明】
【００４９】
１  手提げ鞄
２  本体部
３  延長部
４，４’  取手部
６  緊締部材挿通部
６ａ  第一の挿通部
６ｂ  第二の挿通部
７  緊締部材
８，８’  引出口
１４，１４’  取手部
１６  緊締部材挿通部
１６ａ  第一の挿通部
１６ｂ  第二の挿通部
１７  緊締部材
１８，１８’  引出口
２１  巾着紐
２２  巾着紐挿通部
３１  Ｄ環
３２  紐（ショルダーベルト，背負いベルト）
３２ａ  アジャスタ
３２ｂ  フック
３２ｃ  二つ折り部
３３  Ｄ環
９０  手提げ鞄
９１  本体
９１ａ  上方部分
９２  提げ手
９３  折返し縁
９４  挿通部
【図１】
0003229073.tif 000003
【図２】
0003229073.tif 000004
【図３】
0003229073.tif 000005
【図４】
0003229073.tif 000006
【図５】
0003229073.tif 000007
【図６】
0003229073.tif 000008
【図７】
0003229073.tif 000009
【図８】
0003229073.tif 000010
【図９】
0003229073.tif 000011